(57)【要約】【課題】ボタン電話機から無線回線切断情報を受信した後でも、カールコードレス電話機子機が操作不能にならない様に制御することが出来るボタン電話装置を提供する。【解決手段】電話回線５からの着信に対し内線デジタル多機能電話機６がオフフックすると、ボタン電話機２は内線カールコードレス電話機親機１に対し無線回線切断情報を送信する。親機１は無線回線１７の切断を開始する為、内線カールコードレス電話機子機１６に対し無線回線切断情報を送信すると共に無線回線切断監視部１８にて無線回線１７が切断されたか否かを監視する。子機１６がオフフックされた場合、子機１６は親機１に対しオフフック情報を受信する。ここで親機１は無線回線１７が切断されていないと判断した場合、情報生成部１４にて生成したオフフック情報をボタン電話機２に送信すると共に子機１６に対し無線回線切断処理の中断を通知し、子機１６の通話を開始する。【選択図】  図１
2005252875.tif 000002
【特許請求の範囲】
【請求項１】
外線で電話回線に接続されるボタン電話機と、前記ボタン電話機に内線で接続される内線デジタル多機能電話機と、前記ボタン電話機に内線で接続される内線カールコードレス電話機親機と、前記内線カールコードレス電話機親機と無線回線により接続される内線カールコードレス電話機子機とからなるボタン電話装置において、前記内線カールコードレス電話機親機は、前記ボタン電話機からの無線回線切断情報を受信した際に前記内線カールコードレス電話機子機に無線回線切断情報を送信する無線部と、無線回線が切断されたか否かを監視する無線回線切断監視部と、前記内線カールコードレス電話機子機からオフフック情報を受信した際に前記無線回路切断監視部において無線回線が切断されていないと判断された場合無線回線切断処理中断情報を前記内線カールコードレス電話機子機に送信する制御部とを有することを特徴とするボタン電話装置。
【請求項２】
前記内線カールコードレス電話機子機は前記無線回線切断処理中断情報を受信した際に無線回線切断処理を中断することを特徴とする請求項１記載のボタン電話装置。
【請求項３】
前記内線カールコードレス電話機親機は、前記内線カールコードレス電話機子機からオフフック情報を受信した際に前記無線回路切断監視部において無線回線が切断されていないと判断された場合、新たにオフフック情報を生成し、前記ボタン電話機に該新たなオフフック情報を送信する情報生成部を有することを特徴とする請求項１又は２記載のボタン電話装置。
【発明の詳細な説明】
【技術分野】
【０００１】
本発明はボタン電話装置に関し、特に内線カールコードレス電話機子機の発着信動作に関する。
【背景技術】
【０００２】
従来のボタン電話装置のブロック図を図３に、従来のボタン電話装置の動作を示すシーケンス図を図４に示す。
【０００３】
電話回線５から外線４を介してボタン電話機２に着信が来ると、ボタン電話機２は内線デジタル多機能電話機６と内線カールコードレス電話機１に着信音鳴動情報を送信する。ボタン電話機２から着信音鳴動情報を受信した内線デジタル多機能電話機６及び内線カールコードレス電話機１は着信鳴動を開始し、ボタン電話機２は内線カールコードレス電話機親機１に対し無線回線接続情報を送信する。ボタン電話機２から無線回線接続情報を受信した内線カールコードレス電話機親機１はデータ送受信部８を介して制御部１３に通知し、無線部１５は無線回線１７の接続を開始するため内線カールコードレス電話機子機１６に対し無線回線接続情報を送信する。内線カールコードレス電話機親機１から無線回線接続情報を受信した内線カールコードレス電話機子機１６は直ちに無線回線の接続を開始し、内線カールコードレス電話機親機１に対して無線回線接続完了情報を送信し、無線回線１７の接続を完了したことを通知する。
【０００４】
次に内線デジタル多機能電話機６が前記外線４からの着信に応答するためオフフックすると、内線デジタル多機能電話機６は内線７を介してボタン電話機２に対してオフフック情報を送信する。ボタン電話機２は内線デジタル多機能電話機６からのオフフック情報を受信すると、内線デジタル多機能電話機６と内線カールコードレス電話機１に対し着信鳴動停止情報を送信する。ボタン電話機２から着信鳴動停止情報を受信した内線デジタル多機能電話機６と内線カールコードレス電話機１は着信鳴動を停止し、内線デジタル多機能電話機６はボタン電話機２を介して外線４との間で通話路を形成し通話を開始する。
【０００５】
次にボタン電話機２は内線カールコードレス電話機親機１に対し無線回線切断情報を送信する。ボタン電話機２から無線回線切断情報を受信した内線カールコードレス電話機親機１はデータ送受信部８を介して制御部１３に無線回線切断情報を受信した旨を通知し、無線部１５は無線回線１７の切断を開始するため内線カールコードレス電話機子機１６に対し無線回線切断情報を送信する。内線カールコードレス電話機親機１から無線回線切断情報を受信した内線カールコードレス電話機子機１６は直ちに無線回線の切断を開始する。ここで子機がオフフックした場合、無線回線１７を介して内線カールコードレス電話機親機１に対してオフフック情報を送信する。内線カールコードレス電話機親機１は内線カールコードレス電話機子機１６からオフフック情報を受信するが、既にボタン電話機２から無線回線切断情報を受信しているため内線カールコードレス電話機子機１６からのオフフック情報を廃棄し、内線カールコードレス電話機子機１６に対し無線回線切断情報を送信する。内線カールコードレス電話機親機１から無線回線切断情報を受信した内線カールコードレス電話機子機１６は無線回線の切断処理を行い内線カールコードレス電話機親機１に対し無線回線切断完了情報を送信し、アイドル状態になる。なお、内線有線電話機、内線コードレス電話機を混在して収容するボタン電話装置において、収容内線の着信鳴動を同時に行う技術が特許文献１に記載されている。
【０００６】
【特許文献１】特開２０００−３５０２４３号公報
【発明の開示】
【発明が解決しようとする課題】
【０００７】
従来技術のボタン電話装置においては、ボタン電話機からの指示で無線回線の切断処理を開始した後にカールコードレス子機からの情報を受信した場合でもそれらの情報を廃棄してしまうため、無線回線切断情報を受信してから無線回線の切断が完了するまでの時間は内線カールコードレス電話機子機の操作ができなくなるという問題があった。
【０００８】
本発明は上記問題に鑑み、ボタン電話機から無線回線切断情報を受信した後でも、カールコードレス電話機子機が操作不能にならない様に制御することが出来るボタン電話装置を提供することを目的とする。
【課題を解決するための手段】
【０００９】
本発明は、外線で電話回線に接続されるボタン電話機と、前記ボタン電話機に内線で接続される内線デジタル多機能電話機と、前記ボタン電話機に内線で接続される内線カールコードレス電話機親機と、前記内線カールコードレス電話機親機と無線回線により接続される内線カールコードレス電話機子機とからなるボタン電話装置において、前記内線カールコードレス電話機親機は、前記ボタン電話機からの無線回線切断情報を受信した際に前記内線カールコードレス電話機子機に無線回線切断情報を送信する無線部と、無線回線が切断されたか否かを監視する無線回線切断監視部と、前記内線カールコードレス電話機子機からオフフック情報を受信した際に前記無線回路切断監視部において無線回線が切断されていないと判断された場合無線回線切断処理中断情報を前記内線カールコードレス電話機子機に送信する制御部を有することを特徴とする。
【００１０】
また、前記内線カールコードレス電話機子機は前記無線回線切断処理中断情報を受信した際に無線回線切断処理を中断することを特徴とする。
【００１１】
更に、前記内線カールコードレス電話機親機は、前記内線カールコードレス電話機子機からオフフック情報を受信した際に前記無線回路切断監視部において無線回線が切断されていないと判断された場合、新たにオフフック情報を生成し、前記ボタン電話機に該新たなオフフック情報を送信する情報生成部を有することを特徴とする。
【発明の効果】
【００１２】
かかる本発明のボタン電話装置によれば、ボタン電話機から無線回線切断情報を受信した後でも無線回線が接続されている間であれば内線カールコードレス電話機子機からの情報をボタン電話装置に受け渡すようにしたことにより、カールコードレス電話機子機が操作不能にならない様に制御することができる。
【発明を実施するための最良の形態】
【００１３】
次に、本発明の実施の形態について図面を参照して説明する。
【００１４】
図１は本発明のボタン電話装置の実施形態を示すブロック図である。内線カールコードレス電話機親機１及び内線デジタル多機能電話機６はそれぞれボタン電話機２の内線３および内線７に収容され、ボタン電話機２は外線４を介して電話回線５と接続されている。
【００１５】
また、内線カールコードレス電話機１はボタン電話機２との間で制御データおよび音声データの送受信を行うデータ送受信部８と、内線カールコードレス電話機１の電源を供給する電源部９と、各種表示を行う表示部１０と、電話番号等を入力するためのボタン部１１と、音声データを処理する音声処理部１２と、内線コードレス電話機子機１６との間で無線回線１７を介してデータ送受信を行うための無線部１５と、内線コードレス電話機１の制御を行う制御部１３と、制御部１３の内部に位置し内線カールコードレス子機１６との間で送受信される各種情報を無線部１５を介して監視する無線回線切断監視部１８と、ボタン電話機２との間で送受信する情報を生成する情報生成部１４とで構成される。
【００１６】
次に本発明のボタン電話装置の動作を図２のシーケンス図を用いて説明する。電話回線５から外線４を介してボタン電話機２に着信が来ると、ボタン電話機２は内線デジタル多機能電話機６と内線カールコードレス電話機１に着信音鳴動情報を送信する。ボタン電話機２から着信音鳴動情報を受信した内線デジタル多機能電話機６及び内線カールコードレス電話機１は着信鳴動を開始し、次にボタン電話機２は内線カールコードレス電話機親機１に対し無線回線接続情報を送信する。ボタン電話機２から無線回線接続情報を受信した内線カールコードレス電話機親機１はデータ送受信部８を介して制御部１３に通知し、無線部１５は無線回線１７の接続を開始するため内線カールコードレス電話機子機１６に対し無線回線接続情報を送信する。内線カールコードレス電話機親機１から無線回線接続情報を受信した内線カールコードレス電話機子機１６は直ちに無線回線の接続を開始し内線カールコードレス電話機親機１に対して無線回線接続完了情報を送信し、無線回線１７の接続を完了したことを通知する。
【００１７】
次に内線デジタル多機能電話機６が外線４からの着信に応答するためオフフックすると、内線デジタル多機能電話機６は内線７を介してボタン電話機２に対してオフフック情報を送信する。ボタン電話機２は内線デジタル多機能電話機６からのオフフック情報を受信するとボタン電話機２は内線デジタル多機能電話機６と内線カールコードレス電話機親機１に対し着信鳴動停止情報を送信する。ボタン電話機２から着信鳴動停止情報を受信した内線デジタル多機能電話機６と内線カールコードレス電話機親機１は着信鳴動を停止し、内線デジタル多機能電話機６はボタン電話機２を介して外線４との間で通話路を形成し通話を開始する。
【００１８】
次にボタン電話機２は内線カールコードレス電話機親機１に対し無線回線切断情報を送信する。ボタン電話機２から無線回線切断情報を受信した内線カールコードレス電話機親機１はデータ送受信部８を介して制御部１３に無線回線切断情報を受信した旨を通知し、無線部１５は無線回線１７の切断を開始するため内線カールコードレス電話機子機１６に対し無線回線切断情報を送信すると共に無線回線切断監視部１８にて無線回線１７が切断したか否かにつき監視を開始する。内線カールコードレス電話機親機１から無線回線切断情報を受信した内線カールコードレス電話機子機１６は直ちに無線回線の切断を開始する。ここで子機がオフフックされた場合、無線回線１７を介して内線カールコードレス電話機親機１に対してオフフック情報を送信する。内線カールコードレス電話機親機１は内線カールコードレス電話機子機１６からオフフック情報を受信すると、無線回線切断監視部１８にて無線回線１７が切断したか否かを監視し、無線回線１７が切断されていないこと判断した場合、内線カールコードレス電話機１の制御部１３の内部に位置する情報生成部１４にてオフフック情報を生成し、データ送受信部８を介してボタン電話機２に対しオフフック情報を送信し、制御部１３は無線回線切断処理を中断する旨を内線カールコードレス電話機子機１６に通知する。これにより内線カールコードレス電話機子機２は無線回線切断処理を中断し、通話を開始することが可能となる。
【００１９】
なお、上記の実施形態では情報生成部１４でオフフック情報を生成しているが、新たにオフフック情報を生成せず内線カールコードレス電話機子機１６からのオフフック情報をボタン電話機２に送信するようにしてもよい。
【図面の簡単な説明】
【００２０】
【図１】本発明のボタン電話装置の実施形態を示すブロック図である。
【図２】本発明のボタン電話装置の動作を示すシーケンス図である。
【図３】従来技術のボタン電話装置の実施形態を示すブロック図である。
【図４】従来技術のボタン電話装置の動作を示すシーケンス図である。
【符号の説明】
【００２１】
１  内線カールコードレス電話機親機
２  ボタン電話機
内線
４  外線
５  電話回線
６  内線デジタル多機能電話機
８  データ送受信部
９  電源部
１０  表示部
１１  ボタン部
１２  音声処理部
１３  制御部
１４  情報生成部
１５  無線部
１６  内線カールコードレス電話機子機
１７  無線回線
１８  無線回線切断監視部
【図１】
2005252875.tif 000003
【図２】
2005252875.tif 000004
【図３】
2005252875.tif 000005
【図４】
2005252875.tif 000006